(57)【要約】【課題】引戸の閉まり際にブレーキがかかるようにした引戸装置であって、手動による引戸の開動作を小さな力で行なえるようにした引戸装置を提供する。【解決手段】引戸１の上端には上枠２に取り付けられたレール７上で走行するローラー８が取り付けられ、上枠２の戸先側竪枠４に近い位置に取り付けた制動装置１２はぜんまいばね１３を収納するぜんまいばねケース１４とぜんまいばねケース１４から繰り出される索状体１５とからなる引戸引き込み手段と、引戸１の閉まり際にブレーキをかけ緩衝するダンパー１６と、ダンパー１６のピストンロッド１６ａの先端に結合されるとともに索状体１５の他端に結合される引戸保持部材１８とを備え、引戸１側には引戸保持部材１８に嵌入する被保持部材３８を備え、引戸保持部材１８が制動装置１２のケース２０内面のガイド溝３５の端部に位置したときに引戸保持部材１８の進入を待機する状態を維持できるように構成した。【選択図】図５
2010133221.tif 000002
【特許請求の範囲】
【請求項１】
引戸の上端には上枠に取り付けられたレール上に載りレールに沿って走行するローラーがブラケットを介して左右２箇所に取り付けられており、前記上枠の戸先側竪枠に近い位置に引戸の閉まり際にブレーキを掛けるために制動装置が取り付けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、引戸側には引戸保持部材に嵌入する棒状の被保持部材を備えており、前記引戸保持部材は引戸側の棒状の被保持部材を保持した状態で制動装置のケース内面に形成されたガイド溝に沿って引戸移動方向に移動可能とし、引戸保持部材がガイド溝の端部に位置したときに引戸保持部材に対する引戸側の被保持部材の出入を可能にするとともに引戸保持部材がガイド溝の端部に位置したときに引戸保持部材の進入を待機する状態を維持できるように構成したことを特徴とする引戸装置。
【請求項２】
引戸の上端には上枠に取り付けられたレール上に載りレールに沿って走行するローラーがブラケットを介して左右２箇所に取り付けられており、引戸の前面上端における戸先側に近い位置に引戸の閉まり際にブレーキを掛けるために制動装置が取り付けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、レールもしくは上枠側には引戸保持部材に嵌入する棒状の被保持部材を備えており、前記引戸保持部材はレールもしくは上枠側の棒状の被保持部材を保持した状態で制動装置のケース内面に形成されたガイド溝に沿って引戸移動方向に移動可能とし、引戸保持部材がガイド溝の端部に位置したときに引戸保持部材に対するレールもしくは上枠側の被保持部材の出入を可能にするとともに引戸保持部材がガイド溝の端部に位置したときに引戸保持部材の進入を待機する状態を維持できるように構成したことを特徴とする引戸装置。
【請求項３】
引戸の上端には上枠に取り付けられたレール上に載りレールに沿って走行するローラーがブラケットを介して左右２箇所に取り付けられており、引戸の上端における戸先側に近い位置に引戸の閉まり際にブレーキを掛けるために制動装置が埋め込まれて設けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、レールもしくは上枠側には引戸保持部材に嵌入する棒状の被保持部材を備えており、前記引戸保持部材はレールもしくは上枠側の棒状の被保持部材を保持した状態で制動装置のケース内面に形成されたガイド溝に沿って引戸移動方向に移動可能とし、引戸保持部材がガイド溝の端部に位置したときに引戸保持部材に対するレールもしくは上枠側の被保持部材の出入を可能にするとともに引戸保持部材がガイド溝の端部に位置したときに引戸保持部材の進入を待機する状態を維持できるように構成したことを特徴とする引戸装置。
【請求項４】
引戸の上端は上枠の下面に形成された溝内に摺動自在に嵌入しており、引戸の前面上端における戸先側に近い位置に引戸の閉まり際にブレーキを掛けるために制動装置が取り付けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、上枠側には引戸保持部材に嵌入する棒状の被保持部材を備えており、前記引戸保持部材は上枠側の棒状の被保持部材を保持した状態で制動装置のケース内面に形成されたガイド溝に沿って引戸移動方向に移動可能とし、引戸保持部材がガイド溝の端部に位置したときに引戸保持部材に対する上枠側の被保持部材の出入を可能にするとともに引戸保持部材がガイド溝の端部に位置したときに引戸保持部材の進入を待機する状態を維持できるように構成したことを特徴とする引戸装置。
【請求項５】
引戸の上端は上枠の下面に形成された溝内に摺動自在に嵌入しており、引戸の上端における戸先側に近い位置に引戸の閉まり際にブレーキを掛けるために制動装置が埋め込まれて設けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、上枠の溝内には引戸保持部材に嵌入する棒状の被保持部材を備えており、前記引戸保持部材は上枠側の棒状の被保持部材を保持した状態で制動装置のケース内面に形成されたガイド溝に沿って引戸移動方向に移動可能とし、引戸保持部材がガイド溝の端部に位置したときに引戸保持部材に対する上枠側の被保持部材の出入を可能にするとともに引戸保持部材がガイド溝の端部に位置したときに引戸保持部材の進入を待機する状態を維持できるように構成したことを特徴とする引戸装置。
【発明の詳細な説明】
【技術分野】
【０００１】
本発明は、引戸において、引戸の閉まり際（引戸が完全に閉まる直前の状態）もしくは引戸の開き際（引戸が完全に開く直前の状態）にブレーキがかかるようにした引戸装置に関するものである。
【背景技術】
【０００２】
従来のこの種引戸において、例えば引戸の閉まり際にブレーキがかかるようにした引戸装置としては、特許文献１に開示されているような装置が知られている。
特許文献１に開示されているものは、「引戸又は引出しに設けられた係合ピンの進入案内溝が開閉方向に沿って形成されたケースと、該ケース内に引戸又は引出しの開閉方向に沿ってスライド可能に設けられるとともに、スライド方向に沿ってラックギアが形成されたスライダーと、一端が前記スライダーに係止されるとともに、他端が前記ケースに係止され、前記スライダーに引戸又は引出しの引込み方向の付勢力を与えるスプリング部材と、前記ラックギアに噛合するピニオンギアを備えたロータリーダンパーと、前記スライダーに揺動可能に設けられるとともに、前記ケースに形成されたスライド案内溝に係合する係合突部を有し、かつ引戸又は引出しの開閉に伴って前記ケースの進入案内溝に進入した係合ピンと係脱する関係にある作動カムとからなり、前記スライド案内溝の開き側端部には、前記スライド案内溝から連続して屈曲状案内溝からなる仮停止部が形成され、引戸又は引出しの開操作に伴い前記係合ピンを介して前記作動カム及びスライダーが前記スプリング部材の付勢力に抗して開き側に移動され、スライド案内溝の開き側端部において前記係合突部が前記屈曲案内溝側に案内されることにより前記作動カムが揺動し前記係合ピンの係合が解除されるとともに、前記作動カムの係合突部が前記屈曲状案内溝に係合することによって仮停止状態とされ、引戸又は引出しの閉操作に伴い係合ピンが前記作動カムを揺動動作させることにより仮停止状態が解除され、前記スライダーがロータリーダンパーによる制動力を受けながら前記スプリング部材の付勢力により戸締まり側に移動するとともに、前記作動カムが前記係合ピンを介して引戸又は引出しを締まり位置まで引込むようにした引戸又は引出しの引込み装置。」である。
【０００３】
上記構成より明らかなように特許文献１に開示されている引込み装置では、引戸に引き込み方向の付勢力を与える手段としてスプリング部材を用いている。
【先行技術文献】
【特許文献】
【０００４】
【特許文献１】特開２００６−２９９５７８号公報
【発明の概要】
【発明が解決しようとする課題】
【０００５】
上記特許文献１に記載の引込み装置の構成では、引戸に引き込み方向の付勢力を与えるためにスプリング部材が用いられており、引戸を手動で開ける際にスプリング部材を引っ張って伸ばす方向に力を掛けることになり、引戸が非常に重く感じるという問題がある。また、引戸が手動で強く閉じられると、力の加減によっては引戸が前のめり、つまり引戸の戸尻側下端が浮き上がった状態となるという問題がある。
【０００６】
本発明の目的は、このような課題を解決するものであり、引戸の閉まり際もしくは開き際にブレーキがかかるようにした引戸装置であって、手動による引戸の開動作もしくは閉動作を小さな力で軽く行なえるようにし、また引戸が手動で強く閉じられたり、手動で強く開かれたりしたときに引戸が移動方向に前のめりになるのを防止できるようにした引戸装置を提供することにある。
【課題を解決するための手段】
【０００７】
本発明の請求項１に記載の引戸装置は、引戸の上端には上枠に取り付けられたレール上に載りレールに沿って走行するローラーがブラケットを介して左右２箇所に取り付けられており、前記上枠の戸先側竪枠に近い位置に引戸の閉まり際にブレーキを掛けるために制動装置が取り付けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、引戸側には引戸保持部材に嵌入する棒状の被保持部材を備えており、前記引戸保持部材は引戸側の棒状の被保持部材を保持した状態で制動装置のケース内面に形成されたガイド溝に沿って引戸移動方向に移動可能とし、引戸保持部材がガイド溝の端部に位置したときに引戸保持部材に対する引戸側の被保持部材の出入を可能にするとともに引戸保持部材がガイド溝の端部に位置したときに引戸保持部材の進入を待機する状態を維持できるように構成したことを特徴とする。
【０００８】
請求項２に記載の引戸装置は、引戸の上端には上枠に取り付けられたレール上に載りレールに沿って走行するローラーがブラケットを介して左右２箇所に取り付けられており、引戸の前面上端における戸先側に近い位置に引戸の閉まり際にブレーキを掛けるために制動装置が取り付けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、レールもしくは上枠側には引戸保持部材に嵌入する棒状の被保持部材を備えており、前記引戸保持部材はレールもしくは上枠側の棒状の被保持部材を保持した状態で制動装置のケース内面に形成されたガイド溝に沿って引戸移動方向に移動可能とし、引戸保持部材がガイド溝の端部に位置したときに引戸保持部材に対するレールもしくは上枠側の被保持部材の出入を可能にするとともに引戸保持部材がガイド溝の端部に位置したときに引戸保持部材の進入を待機する状態を維持できるように構成したことを特徴とする。
【０００９】
請求項３に記載の引戸装置は、引戸の上端には上枠に取り付けられたレール上に載りレールに沿って走行するローラーがブラケットを介して左右２箇所に取り付けられており、引戸の上端における戸先側に近い位置に引戸の閉まり際にブレーキを掛けるために制動装置が埋め込まれて設けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、レールもしくは上枠側には引戸保持部材に嵌入する棒状の被保持部材を備えており、前記引戸保持部材はレールもしくは上枠側の棒状の被保持部材を保持した状態で制動装置のケース内面に形成されたガイド溝に沿って引戸移動方向に移動可能とし、引戸保持部材がガイド溝の端部に位置したときに引戸保持部材に対するレールもしくは上枠側の被保持部材の出入を可能にするとともに引戸保持部材がガイド溝の端部に位置したときに引戸保持部材の進入を待機する状態を維持できるように構成したことを特徴とする。
【００１０】
請求項４に記載の引戸装置は、引戸の上端は上枠の下面に形成された溝内に摺動自在に嵌入しており、引戸の前面上端における戸先側に近い位置に引戸の閉まり際にブレーキを掛けるために制動装置が取り付けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、上枠側には引戸保持部材に嵌入する棒状の被保持部材を備えており、前記引戸保持部材は上枠側の棒状の被保持部材を保持した状態で制動装置のケース内面に形成されたガイド溝に沿って引戸移動方向に移動可能とし、引戸保持部材がガイド溝の端部に位置したときに引戸保持部材に対する上枠側の被保持部材の出入を可能にするとともに引戸保持部材がガイド溝の端部に位置したときに引戸保持部材の進入を待機する状態を維持できるように構成したことを特徴とする。
【００１１】
請求項５に記載の引戸装置は、引戸の上端は上枠の下面に形成された溝内に摺動自在に嵌入しており、引戸の上端における戸先側に近い位置に引戸の閉まり際にブレーキを掛けるために制動装置が埋め込まれて設けられており、前記制動装置はケース内に収納される、ぜんまいばねを収納するぜんまいばねケースおよびこのぜんまいばねケースから繰り出されるワイヤーなどの索状体とからなる引戸引き込み手段と、引戸の閉まり際においてブレーキをかけ緩衝するためのダンパーと、このダンパーのケースの後端部を受けて衝撃を吸収するための衝撃吸収用の圧縮ばねと、前記ダンパーのピストンロッドの先端に結合されるとともに前記索状体の他端に結合される引戸保持部材とを備え、上枠の溝内には引戸保持部材に嵌入する棒状の被保持部材を備えており、前記引戸保持部材は上枠側の棒状の被保持部材を保持した状態で制動装置のケース内面に形成されたガイド溝に沿って引戸移動方向に移動可能とし、引戸保持部材がガイド溝の端部に位置したときに引戸保持部材に対する上枠側の被保持部材の出入を可能にするとともに引戸保持部材がガイド溝の端部に位置したときに引戸保持部材の進入を待機する状態を維持できるように構成したことを特徴とする。
【発明の効果】
【００１２】
以上のように、本発明の引戸装置は、引戸を手動で閉じるとき、引戸が手動で強く閉じられても引戸の閉まり際において引戸側の被保持部材が制動装置に設けた引戸保持部材に進入し、索状体がぜんまいばねケース内で巻き取られて引戸を閉じる方向に力がかかり、引戸は閉じる方向に移動しようとし、同時にぜんまいばねによる索状体の巻き取り力によりダンパーのピストンロッドがケース内に押し込まれる方向に移動して、引戸はブレーキが掛けられながら低速で閉動することができる。そして、本発明の引戸装置は引戸を閉まり際から閉じる方向に移動させるためにぜんまいばねを用いており、引戸を開き始めるときにぜんまいばねケースから索状体を引き出す力が掛かるが、前記従来のようなスプリング部材を用いる場合に比べて引戸の開動が非常に軽くなる。さらに、ダンパーのケースの後端部を受けて衝撃を吸収するための衝撃吸収用の圧縮ばねを設けることにより、引戸が手動で強く閉じられても、引戸保持部材に対する被保持部材の衝撃をダンパーのピストンロッドがケース内に押し込まれようとする動作とダンパーの後の圧縮ばねで吸収することができ、引戸の前のめり（移動する方向に対して後端部下端が浮き上がること）を防止することができる。
【図面の簡単な説明】
【００１３】
【図１】本発明の第１の実施の形態における引戸が開かれた状態での引戸装置の全体を示す正面図である。
【図２】同引戸が閉じられた状態での引戸装置の全体を示す正面図である。
【図３】同上枠の戸先寄りの位置に制動装置が取り付けられている状態を示す斜視図である。
【図４】同引戸が開かれた状態での制動装置の拡大断面正面図である。
【図５】同引戸が閉じられた状態での制動装置の拡大断面正面図である。
【図６】同制動装置内に設けられる引戸保持部材の分解斜視図である。
【図７】同制動装置内に設けられる引戸保持部材の組み立て斜視図である。
【図８】同制動装置の分解斜視図である。
【図９】図２のＸ−Ｘ矢視図である。
【図１０】本発明の第２の実施の形態における引戸が最大開かれる直前の状態での引戸装置の全体を示す正面図である。
【図１１】同引戸が最大開かれた状態での引戸装置の全体を示す正面図である。
【図１２】本発明の第３の実施の形態における引戸が開かれた状態での引戸装置の全体を示す正面図である。
【図１３】同引戸が閉じられた状態での引戸装置の全体を示す正面図である。
【発明を実施するための形態】
【００１４】
以下、本発明の実施の形態を、図面を用いて具体的に説明する。
先ず、図１〜図９に示す第１の実施の形態について説明すると、１は手動で開閉する引戸であって、屋内の所定位置において上枠２、戸先側竪枠３、戸尻側竪枠４および下枠５で形成されている出入り口となる開口部６に開閉自在に設けられている。
【００１５】
具体的には、前記上枠２に水平方向にレール７が取り付けられ、引戸１の上端にはレール７上に載りレール７に沿って走行するローラー８がブラケット９を介して左右２箇所に取り付けられている。また、引戸１の下端には左右の幅方向全長に亘って溝１ａが形成され、下枠５から上向きに突設した支持ローラー１０が溝１ａに嵌り込んでいる。このように、引戸１の上端側ではローラー８がレール７上に載っていることと、引戸１の下端側では溝１ａに支持ローラー１０が嵌入していることとにより引戸１は出入り口となる開口部６を自在に開閉できるようになる。１１は引戸１の前面および背面において戸先寄りの位置に形成された指掛け部である。
【００１６】
前記上枠２の戸先側竪枠３に近い位置に引戸１の閉まり際にブレーキを掛けるために制動装置１２が設けられている。
制動装置１２はぜんまいばね１３を収納するぜんまいばねケース１４と、このぜんまいばねケース１４に巻回されるワイヤーなどの索状体１５とからなる引戸引き込み手段と、引戸１の閉まり際においてブレーキをかけ緩衝するためのダンパー１６と、このダンパー１６のピストンロッド１６ａの先端に一側部上端が結合部材１７を介して軸支され、前記索状体１５の一端に幅方向中間部上端が結合される引戸保持部材１８と、前記ダンパー１６のケース１６ｂの後端部に一端が当接するように設けられた衝撃吸収用の圧縮ばね１９とを備え、ケース２０内に収納されている。
【００１７】
具体的には、前記引戸保持部材１８は全体がほぼ板状で幅方向中間部上端に前記索状体１５の一端のリング部１５ａを引っ掛けるための細首部２１ａを有する連結部２１を備え、左右に下方に延びる保持脚２２，２３を突設し、この２本の保持脚２２，２３の内、一側部側の保持脚２２を他側部側の保持脚２３よりも長く形成し、また他側部側の上端肩部近傍の前後面に水平方向に断面円形の軸部２４，２５を突設してある。さらに、一側部側の上端肩部近傍には前記結合部材１７を結合させるための丸孔２６および凹部２７が前後に向く軸心方向に隣接して形成されている。
【００１８】
次に、前記結合部材１７は、前記ダンパー１６のピストンロッド１６ａの先端を圧入させる孔部２８ａを有するダンパー接続部２８を一側部に備え、このダンパー接続部２８と一体で前記引戸保持部材１８の一側部側の丸孔２６および凹部２７に嵌め込まれて結合される断面円形の軸部２９を繋がり部３０を介して他側部に備え、この軸部２９の前後の端面は前記軸部２４，２５の前後の端面に揃うように形成されている。そして、この軸部２９は前記丸孔２６および凹部２７と結合されるのであるが、その結合作業は前記凹部２７の端部側より軸部２９を差し込み、軸部２９の両端を丸孔２６および凹部２７より前後に水平方向に突出させれば良い。なお、前記丸孔２６は全周に亘って繋がった形状を呈しているが、凹部２７は前記繋がり部３０を回避できるように１つ割り状となっており、凹部２７内に差し込まれている軸部２９は凹部２７の１つ割り部から外れないように構成されている。さらに、前記ダンパー接続部２８の前後面にも端面が前記軸部２４，２５の前後の端面に揃うように水平方向に断面円形の軸部３１，３２を突設してある。
【００１９】
次に、前記ケース２０について説明すると、ケース２０は前側の横長のケース部３３と、後側の横長のケース部３４とを両端でビス止めにて組み合わせてなり、ケース２０内の一端側に前記ぜんまいばねケース１４が配設され、このぜんまいばねケース１４の配設部に隣接して圧縮ばね１９およびダンパー１６がケース２０の他端側に向って配設され、各ケース部３３，３４の他端側内面に前記引戸保持部材１８の軸部２４，２５および前記結合部材１７の軸部２９，３１，３２が嵌り引戸保持部材１８を摺動案内するガイド溝３５，３５が形成されている。このガイド溝３５はケース２０の他端側に位置する端部以外は水平部３５ａとなっており、前記端部は水平部３５ａに上向きの傾斜部３５ｂを介して繋がる立ち上がり部３５ｃとなっている。なお、前記圧縮ばね１９の他端はケース２０内に形成されたばね受け３６に当接するようになっている。なお、ケース２０の後側のケース部３４の内面にはぜんまいばねケース１４の中心の丸孔１４ａとぜんまいばねケース１４が回転可能となるように嵌合する断面円形の支持軸３７が前方に向って水平に一体に設けられ、この支持軸３７には前端から後方に溝３７ａが形成され、ぜんまいばねケース１４の中心の丸孔１４ａから突出するぜんまいばね１３の一端が溝３７ａに係止するようになっている。支持軸３７の前端部は前側のケース部３３に形成されている丸孔３３ａに嵌入するようになっている。そして、ケース２０内にぜんまいばねケース１４とワイヤーなどの索状体１５とからなる引戸引き込み手段、ダンパー１６、圧縮ばね１９、引戸保持部材１８が組み込まれた状態において、引戸保持部材１８がケース２０の他端側におけるガイド溝３５の端部に位置するときは引戸保持部材１８の前記軸部２４，２５が前記立ち上がり部３５ｃに位置し引戸保持部材１８が索状体１５に繋がれてぜんまいばね１３によって付勢されていることから引戸保持部材１８の軸部２４，２５が上向きに移動して立ち上がり部３５ｃに嵌り込み、引戸保持部材１８は傾いて前記他側部側の保持脚２３がケース２０内に隠れ、引戸保持部材１８がケース２０の一端側におけるガイド溝３５の水平部３５ａに位置するときは引戸保持部材１８の前記保持脚２２，２３はケース２０から下向きに突出するようになる。
【００２０】
以上述べた制動装置１２と組み合わされるように前記引戸１の戸先側のブラケット９には引戸１の開閉時に制動装置１２のケース２０の下側に沿って移動するローラーなどからなる棒状の被保持部材３８が取付金具３９を介してブラケット９の背面側で前後に水平方向に取り付けられ、引戸１の閉まり際において被保持部材３８が前記ケース２０の他端側におけるガイド溝３５の端部で傾いた状態で待機している引戸保持部材１８の一側部側の保持脚２２に当接し、引戸１の閉まる方向への力が引戸保持部材１８に掛かって引戸保持部材１８の軸部２４，２５が立ち上がり部３５ｃから抜け出るように引戸保持部材１８が水平に向き、引戸保持部材１８の２本の保持脚２２，２３間に被保持部材３８が位置した状態でぜんまいばねケース１４に巻回された索状体１５により引戸１への引き込み力が作用するようになっている。
【００２１】
ところで、図中４０は引戸１が最大開いた状態において引戸１の戸尻側のブラケット９の戸尻側端面が当接するように上枠２に設けたゴムなどからなる緩衝体であり、４１は引戸１の戸尻側のブラケット９の戸尻側端面が緩衝体４０に当接したときに戸尻側のブラケット９に取り付けられるローラー８の上部に当接してローラー８を引戸１開方向に押し付ける板ばねからなるストッパーである。
【００２２】
上記のような制動装置１２を備えた引戸装置において、引戸１が開いているときは前記索状体１５はぜんまいばねケース１４から繰り出され、且つピストンロッド１６ａがダンパー１６のケース１６ｂからほぼ全長が突出し、かかる状態を引戸保持部材１８がケース２０の他端側におけるガイド溝３５の端部に位置して引戸保持部材１８の前記軸部２４，２５が前記立ち上がり部３５ｃに嵌り込み、引戸保持部材１８が傾き前記他側部側の保持脚２３がケース２０内に隠れた待機状態で保持されている。引戸１を閉じるときは手動で行なうのであり、引戸１が閉じられたとき引戸１の閉まり際において前記被保持部材３８が引戸保持部材１８の一側部側の保持脚２２に当接し、引戸１の閉まる方向への力が引戸保持部材１８に掛かって引戸保持部材１８の軸部２４，２５が立ち上がり部３５ｃから抜け出るように引戸保持部材１８が水平に向き、引戸保持部材１８の２本の保持脚２２，２３は下方に向いて２本の保持脚２２，２３間に被保持部材３８が位置するとともに軸部２９，３１，３２同様に軸部２４，２５もガイド溝３５の水平部３５ａ内に位置した状態でぜんまいばねケース１４に巻回された索状体１５により引戸１への引き込み力が作用する。ぜんまいばね１３による索状体１５の巻き取り力により２本の保持脚２２，２３間に被保持部材３８を保持した状態で引戸保持部材１８とともに被保持部材３８が水平部３５ａを戸先側竪枠３側に移動する。そのとき、ぜんまいばね１３による索状体１５の巻き取り力によりダンパー１６のピストンロッド１６ａがケース１６ｂ内に押し込まれる方向に移動して、引戸１はブレーキが掛けられながら戸先側竪枠３に当接するまで低速で閉動する。
【００２３】
なお、引戸１が手動で強く閉じられると、力の加減によっては引戸１側の被保持部材３８が引戸保持部材１８の一側部側の保持脚２２に強く当たって引戸１が前のめり、つまり引戸１の戸尻側下端が浮き上がった状態となることがあるが、本実施の形態の引戸装置では前述のようにダンパー１６のケース１６ｂの後端部とぜんまいばねケース１４との間に設けられた衝撃吸収用の圧縮ばね１９が設けられているので、引戸１が手動で強く閉じられても、引戸保持部材１８に対する被保持部材３８の衝撃をダンパー１６のピストンロッド１６ａがケース１６ｂ内に押し込まれようとする動作とダンパー１６の後の圧縮ばね１９で吸収することができ、引戸１が移動方向に前のめりになるのを防止することができる。
【００２４】
閉じられた引戸１を開くときも手動で行なうのであり、引戸保持部材１８の２本の保持脚２２，２３間に被保持部材３８が位置した状態で引戸１とともに引戸保持部材１８はガイド溝３５の水平部３５ａに沿って戸尻側竪枠４側に向って移動するようになる。その間にぜんまいばねケース１４から索状体１５が引き出されるとともにダンパー１６のピストンロッド１６ａもほぼ全長が突出した状態となり、そのときにガイド溝３５の端部の立ち上がり部３５ｃに引戸保持部材１８の前記軸部２４，２５が嵌り込み、引戸保持部材１８が傾き前記他側部側の保持脚２３がケース２０内に隠れた待機状態で保持されるようになり、引戸１は被保持部材３８が保持脚２２，２３間から抜け出て、戸尻側竪枠４に当たるまで開かれる。このような引戸１の開動時において引戸１に余分な力が掛かっているのは引戸１を開き始めるときにぜんまいばねケース１４から索状体１５を引き出す力であって、スプリング部材を用いる場合に比べて引戸１の開動が非常に軽くなる。
【００２５】
次に、図１０および図１１に示す第２の実施の形態について説明すると、以上述べた第１の実施の形態では引戸１の閉まり際に引戸１にブレーキがかかるようにしたものであるが、第２の実施の形態では引戸１の閉まり際と開き際のどちらでもブレーキがかかるように上枠２の戸先側竪枠３および戸尻側竪枠４に近い位置にそれぞれ、つまり上枠２を正面から見て左右に振り分けるように左右対称に上枠２に制動装置１２および１２Ａを設けてある。上枠２の戸先側竪枠３に近い位置における制動装置１２の配設状態は前記第１の実施の形態と同様であり、戸尻側竪枠４に近い位置における制動装置１２Ａは戸先側竪枠３に近い位置における制動装置１２とは反対側に向いて配設されている。即ち、戸尻側竪枠４に近い位置における制動装置１２Ａは、引戸１が完全に開く直前でブレーキを掛けるために戸先側竪枠３に近い位置における制動装置１２とは反対側に向いて上枠２に取り付けられており、そしてこの制動装置１２Ａも、ぜんまいばね１３を収納するぜんまいばねケース１４と、このぜんまいばねケース１４に巻回されるワイヤーなどの索状体１５とからなる引戸引き込み手段と、引戸１の開き際においてブレーキをかけ緩衝するためのダンパー１６と、このダンパー１６のピストンロッド１６ａの先端に一側部上端が結合部材１７を介して軸支され、前記索状体１５の他端に幅方向中間部上端が結合される引戸保持部材１８と、前記ダンパー１６のケース１６ｂの後端部に一端が当接するように設けられた衝撃吸収用の圧縮ばね１９とを備え、前後一対のケース部３３，３４からなるケース２０内に収納されている。
【００２６】
以上述べた制動装置１２Ａと組み合わされるように前記引戸１の戸尻側のブラケット９には引戸１の開閉時に制動装置１２Ａのケース２０の下側に沿って移動するローラー状の被保持部材３８が取付金具３９を介して前後に水平方向に取り付けられ、引戸１の開き際において被保持部材３８が前記ケース２０の他端側におけるガイド溝３５の端部で傾いた状態で待機している引戸保持部材１８の一側部側の保持脚２２に当接し、引戸１の開く方向への力が引戸保持部材１８に掛かって引戸保持部材１８の軸部２４，２５が立ち上がり部３５ｃから抜け出るように引戸保持部材１８が水平に向き、引戸保持部材１８の２本の保持脚２２，２３間に被保持部材３８が位置した状態でぜんまいばねケース１４に巻回された索状体１５により引戸１への引き込み力が作用するようになっている。
【００２７】
なお、この戸尻側竪枠４に近い位置における制動装置１２Ａにおいてもダンパー１６のケース１６ｂの後端部を受けて衝撃を吸収するための衝撃吸収用の圧縮ばね１９を備えている。また、第１の実施の形態で設けられている緩衝体４０やストッパー４１はこの第２の実施の形態で設けられていない。他の構成は第１の実施の形態と同様である。
【００２８】
ところで、前記レール７は上枠２に水平方向に取り付けられているが、レール７を戸先側竪枠３側に向って僅かに下降するように傾斜させて取り付けることにより、引戸１を閉じるとき、自閉式とすることができる。
【００２９】
さらに、第２の実施の形態では上枠２の戸先側竪枠３および戸尻側竪枠４に近い位置にそれぞれ左右対称に制動装置１２および１２Ａを設けているが、上枠２の戸尻側竪枠４に近い位置にのみ制動装置１２Ａを設けるようにしても良い。
【００３０】
次に、図１２および図１３に示す第３の実施の形態について説明すると、以上述べた第１および第２の実施の形態では、引戸１は上端がレール７に吊り下げられ、また下端は下枠５から上向きに突設した支持ローラー１０が溝１ａに嵌り込んで支持された状態で開口部６を開閉自在に設けられているが、第３の実施の形態では、引戸１の上端は上枠２の下面に形成された溝２ａ内に摺動自在に嵌入し、また引戸１の下端では戸先寄りおよび戸尻寄りの位置に設けられた戸車４２，４２が下枠５に形成された溝５ａに嵌入して引戸１が自在に開閉できるようになっている。４３は引戸１の前面および背面において戸先寄りの位置に形成された指掛け部である。そして、この第３の実施の形態において、引戸１の前面上端における戸先側に近い位置に引戸１の閉まり際にブレーキを掛けるために制動装置１２が設けられている。この制動装置１２は前記第１の実施の形態における制動装置１２を上下逆に向けたものであって、第１の実施の形態における制動装置１２と同様の構成を備え、この制動装置１２の引戸保持部材１８の保持脚２２，２３はケース２０から上向きに突出するようになり、保持脚２２，２３を作動させる被保持部材３８は上枠２の戸先側竪枠３に近い位置における下面に下向きに取り付けられている。
【００３１】
なお、図面では示されていないが、上記のように引戸１の前面上端における制動装置１２が設けられる場合でも、第２の実施の形態と同様に引戸１の前面上端における戸尻側に近い位置に引戸１が完全に開く直前でブレーキを掛けるために制動装置を設けるようにすることも可能である。この場合も、引戸１が完全に開く直前でブレーキを掛けるための制動装置の保持脚を作動させる被保持部材は上枠２の戸尻側竪枠４に近い位置における下面に下向きに取り付けられるものである。また、引戸１の戸尻側に近い位置にのみ引戸１が完全に開く直前でブレーキを掛けるための制動装置を設けるようにしても良い。
【００３２】
また、図面では示されていないが、前記第３の実施の形態のように、引戸１の上端が上枠２の下面に形成された溝２ａ内に摺動自在に嵌入し、また引戸１の下端では戸先寄りおよび戸尻寄りの位置に設けられた戸車４２，４２が下枠５に形成された溝５ａに嵌入して引戸１が自在に開閉できるようになっている引戸装置において、引戸１の上端に制動装置を埋め込むようにしても良い。この場合、制動装置から上向きに突出する保持脚を作動させる被保持部材は溝２ａ内に位置し溝２ａの上底面から下向きに取り付けられるものである。そして、この場合、制動装置を引戸１の戸先側に近い位置および／または戸尻側に近い位置に設けるようにすれば良い。
【００３３】
さらに、図面では示されていないが、前記第１および第２の実施の形態において、引戸上端がレールに吊り下げられた引戸装置においても、引戸１の前面上端に制動装置を設けるか、あるいは引戸１の上端に制動装置を埋め込むようにしても良い。この場合、制動装置から上向きに突出する保持脚を作動させる被保持部材はレール７もしくは上枠２からブラケット９に当接して引戸１の開閉の邪魔にならないように設けられる。そして、この場合も、制動装置を引戸１の戸先側に近い位置および／または戸尻側に近い位置に設けるようにすれば良い。
【００３４】
ところで、上記した各実施の形態において用いられているダンパー１６としてはエアーダンパーやオイルダンパーなどを用いることが可能である。また、前記引戸保持部材１８として図面に示す構成のものに限定されるものではなく、ガイド溝３５の端部で引戸１側の被保持部材３８の進入を待機できる引戸保持部材であれば他の構成であっても良い。
【産業上の利用可能性】
【００３５】
本発明の引戸装置は、引戸の閉まり際もしくは開き際にブレーキがかかるようにした引戸装置であって、手動による引戸の開動作もしくは閉動作を小さな力で軽く行なえるようにし、また引戸が手動で強く閉じられたり、手動で強く開かれたりしたときに引戸が移動方向に前のめりになるのを防止できるようにした引戸装置である。
【符号の説明】
【００３６】
１            引戸
１ａ          溝
２            上枠
３            戸先側竪枠
４            戸尻側竪枠
５            下枠
６            開口部
７            レール
８            ローラー
９            ブラケット
１０            支持ローラー
１２，１２Ａ    制動装置
１３            ぜんまいばね
１４            ぜんまいばねケース
１４ａ          丸孔
１５            索状体
１６            ダンパー
１６ａ          ピストンロッド
１６ｂ          ケース
１７            結合部材
１８            引戸保持部材
１９            圧縮ばね
２０            ケース
２１            連結部
２２，２３      保持脚
２４，２５      軸部
２８            ダンパー接続部
２９            軸部
３０            繋がり部
３１，３２      軸部
３３，３４      ケース部
３５            ガイド溝
３５ａ          水平部
３５ｂ          傾斜部
３５ｃ          立ち上がり部
３６            ばね受け
３７            支持軸
３８            被保持部材
３９            取付金具
【図１】
2010133221.tif 000003
【図２】
2010133221.tif 000004
【図３】
2010133221.tif 000005
【図４】
2010133221.tif 000006
【図５】
2010133221.tif 000007
【図６】
2010133221.tif 000008
【図７】
2010133221.tif 000009
【図８】
2010133221.tif 000010
【図９】
2010133221.tif 000011
【図１０】
2010133221.tif 000012
【図１１】
2010133221.tif 000013
【図１２】
2010133221.tif 000014
【図１３】
2010133221.tif 000015